【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
複数の情報処理装置の電力モードを管理する管理装置であって、
第１のグループに属する少なくとも１つの情報処理装置及び第２のグループに属する少なくとも１つの情報処理装置を示す情報を管理するグループ管理手段と、
前記第１のグループに含まれる情報処理装置において設定されるべき電力モードのスケジュールを示す第１のスケジュール情報及び前記第２のグループに含まれる情報処理装置において設定されるべき電力モードのスケジュールを示す第２のスケジュール情報を管理するスケジュール管理手段と、
前記第１のスケジュール情報に従って、前記第１のグループに含まれる情報処理装置に対して電力モードの切り替えを指示し、前記第２のスケジュール情報に従って、前記第２のグループに含まれる情報処理装置に対して電力モードの切り替えを指示する指示手段と、
前記第１のグループ及び前記第２のグループの両方に含まれる情報処理装置において設定されるべき電力モードが、前記第１のスケジュール情報と前記第２のスケジュール情報とにおいて異なっている場合に、前記第１のスケジュール情報が示す電力モード及び前記第２のスケジュール情報が示す電力モードのどちらを優先させるかを判定する判定手段と、
前記第１のグループ及び前記第２のグループの両方に含まれる情報処理装置において前記判定手段が優先させると判定した電力モードが設定されるよう前記指示手段を制御する制御手段と、
を備えることを特徴とする管理装置。
【請求項２】
前記指示手段は、前記情報処理装置が有する複数の電力モードのうち、どの電力モードを設定すべきかを示す情報を当該情報処理装置に送信することにより、前記電力モードの切り替えを指示することを特徴とする請求項１に記載の管理装置。
【請求項３】
前記指示手段は、第１の電力モードが設定されている前記情報処理装置の電力モードを、前記第１の電力モードよりも消費電力が小さい第２の電力モードに切り替えることを指示することを特徴とする請求項１または２に記載の管理装置。
【請求項４】
前記指示手段は、第２の電力モードが設定されている前記情報処理装置の電力モードを、前記第２の電力モードよりも消費電力が大きい第１の電力モードに切り替えることを指示することを特徴とする請求項１から３のいずれか１項に記載の管理装置。
【請求項５】
前記第１のスケジュール情報及び前記第２のスケジュール情報のうち、どちらのスケジュール情報を優先させるかを予め指定する指定手段を更に備え、
前記判定手段は、前記指定手段による指定に基づいて、前記第１のスケジュール情報が示す電力モード及び前記第２のスケジュール情報が示す電力モードのどちらを優先させるかを判定することを特徴とする請求項１から４のいずれか１項に記載の管理装置。
【請求項６】
複数の画像処理装置の電力モードを管理する管理装置であって、
第１のグループに属する少なくとも１つの画像処理装置及び第２のグループに属する少なくとも１つの画像処理装置を示す情報を管理するグループ管理手段と、
前記第１のグループに含まれる画像処理装置において設定されるべき省電力モードのスケジュールを示す第１のスケジュール情報及び前記第２のグループに含まれる画像処理装置において設定されるべき省電力モードのスケジュールを示す第２のスケジュール情報を管理するスケジュール管理手段と、
前記第１のスケジュール情報に従って、前記第１のグループに含まれる画像処理装置に対して省電力モードへの移行を指示し、前記第２のスケジュール情報に従って、前記第２のグループに含まれる画像処理装置に対して省電力モードへの移行を指示する指示手段と、
前記第１のグループ及び前記第２のグループの両方に含まれる画像処理装置において省電力モードを設定すべきか否かが、前記第１のスケジュール情報と前記第２のスケジュール情報とにおいて異なっている場合に、前記第１のスケジュール情報及び前記第２のスケジュール情報のどちらを優先させるかを判定する判定手段と、
前記第１のグループ及び前記第２のグループの両方に含まれる画像処理装置において前記判定手段が優先させると判定したスケジュールに従って省電力モードが設定されるよう前記指示手段を制御する制御手段と、
を備えることを特徴とする管理装置。
【請求項７】
少なくとも１つの情報処理装置からなる第１のグループ及び少なくとも１つの情報処理装置からなる第２のグループの両方に属する情報処理装置であって、
前記第１のグループに含まれる情報処理装置において設定されるべき電力モードのスケジュールを示す第１のスケジュール情報に従って前記第１のグループに含まれる第１の情報処理装置から送信された指示または前記第２のグループに含まれる情報処理装置において設定されるべき電力モードのスケジュールを示す第２のスケジュール情報に従って前記第２のグループに含まれる第２の情報処理装置から送信された指示に従って、複数の電力モードを切り替えて設定するモード設定手段と、
前記第１の情報処理装置からの指示の内容と前記第２の情報処理装置からの指示の内容が異なっている場合に、どちらの指示を優先させるかを判定する判定手段と、
前記判定手段が優先させると判定した指示に従って、前記電力モードの切り替えを行って設定するよう前記モード設定手段を制御する制御手段と、
を備えることを特徴とする情報処理装置。
【請求項８】
前記設定手段は、第１の電力モードが設定されている際に、前記指示に従って前記第１の電力モードよりも消費電力が小さい第２の電力モードに切り替えて設定することを特徴とする請求項７に記載の情報処理装置。
【請求項９】
前記設定手段は、第２の電力モードが設定されている際に、前記指示に従って前記第２の電力モードよりも消費電力が大きい第１の電力モードに切り替えて設定することを特徴とする請求項７または８に記載の情報処理装置。
【請求項１０】
管理装置で実行される、複数の情報処理装置の電力モードを管理する管理方法であって、
第１のグループに属する少なくとも１つの情報処理装置及び第２のグループに属する少なくとも１つの情報処理装置を示す情報を管理するグループ管理ステップと、
前記第１のグループに含まれる情報処理装置において設定されるべき電力モードのスケジュールを示す第１のスケジュール情報及び前記第２のグループに含まれる情報処理装置において設定されるべき電力モードのスケジュールを示す第２のスケジュール情報を管理するスケジュール管理ステップと、
前記第１のスケジュール情報に従って、前記第１のグループに含まれる情報処理装置に対して電力モードの切り替えを指示し、前記第２のスケジュール情報に従って、前記第２のグループに含まれる情報処理装置に対して電力モードの切り替えを指示する指示ステップと、
前記第１のグループ及び前記第２のグループの両方に含まれる情報処理装置において設定されるべき電力モードが、前記第１のスケジュール情報と前記第２のスケジュール情報とにおいて異なっている場合に、前記第１のスケジュール情報が示す電力モード及び前記第２のスケジュール情報が示す電力モードのどちらを優先させるかを判定する判定ステップと、
前記第１のグループ及び前記第２のグループの両方に含まれる情報処理装置において前記判定ステップで優先させると判定した電力モードが設定されるよう前記指示ステップを制御する制御ステップと、
を備えることを特徴とする管理方法。
【請求項１１】
少なくとも１つの情報処理装置からなる第１のグループ及び少なくとも１つの情報処理装置からなる第２のグループの両方に属する情報処理装置の制御方法であって、
前記第１のグループに含まれる情報処理装置において設定されるべき電力モードのスケジュールを示す第１のスケジュール情報に従って前記第１のグループに含まれる第１の情報処理装置から送信された指示または前記第２のグループに含まれる情報処理装置において設定されるべき電力モードのスケジュールを示す第２のスケジュール情報に従って前記第２のグループに含まれる第２の情報処理装置から送信された指示に従って、複数の電力モードを切り替えて設定するモード設定ステップと、
前記第１の情報処理装置からの指示の内容と前記第２の情報処理装置からの指示の内容が異なっている場合に、どちらの指示を優先させるかを判定する判定ステップと、
前記判定ステップで優先させると判定した指示に従って、前記電力モードの切り替えを行って設定するよう前記モード設定ステップを制御する制御ステップと、
を備えることを特徴とする情報処理装置の制御方法。
【請求項１２】
請求項１０または１１に記載の方法をコンピュータに実行させるためのプログラムを記憶したコンピュータ読み取り可能な記憶媒体。
【手続補正２】
【補正対象書類名】明細書
【補正対象項目名】０００９
【補正方法】変更
【補正の内容】
【０００９】
上記の目的を達成するために本発明に係わる管理装置は、複数の情報処理装置の電力モードを管理する管理装置であって、第１のグループに属する少なくとも１つの情報処理装置及び第２のグループに属する少なくとも１つの情報処理装置を示す情報を管理するグループ管理手段と、前記第１のグループに含まれる情報処理装置において設定されるべき電力モードのスケジュールを示す第１のスケジュール情報及び前記第２のグループに含まれる情報処理装置において設定されるべき電力モードのスケジュールを示す第２のスケジュール情報を管理するスケジュール管理手段と、前記第１のスケジュール情報に従って、前記第１のグループに含まれる情報処理装置に対して電力モードの切り替えを指示し、前記第２のスケジュール情報に従って、前記第２のグループに含まれる情報処理装置に対して電力モードの切り替えを指示する指示手段と、前記第１のグループ及び前記第２のグループの両方に含まれる情報処理装置において設定されるべき電力モードが、前記第１のスケジュール情報と前記第２のスケジュール情報とにおいて異なっている場合に、前記第１のスケジュール情報が示す電力モード及び前記第２のスケジュール情報が示す電力モードのどちらを優先させるかを判定する判定手段と、前記第１のグループ及び前記第２のグループの両方に含まれる情報処理装置において前記判定手段が優先させると判定した電力モードが設定されるよう前記指示手段を制御する制御手段とを備えることを特徴とする。
【手続補正３】
【補正対象書類名】明細書
【補正対象項目名】００１０
【補正方法】変更
【補正の内容】
【００１０】
また、本発明に係わる管理装置は、複数の画像処理装置の電力モードを管理する管理装置であって、第１のグループに属する少なくとも１つの画像処理装置及び第２のグループに属する少なくとも１つの画像処理装置を示す情報を管理するグループ管理手段と、前記第１のグループに含まれる画像処理装置において設定されるべき省電力モードのスケジュールを示す第１のスケジュール情報及び前記第２のグループに含まれる画像処理装置において設定されるべき省電力モードのスケジュールを示す第２のスケジュール情報を管理するスケジュール管理手段と、前記第１のスケジュール情報に従って、前記第１のグループに含まれる画像処理装置に対して省電力モードへの移行を指示し、前記第２のスケジュール情報に従って、前記第２のグループに含まれる画像処理装置に対して省電力モードへの移行を指示する指示手段と、前記第１のグループ及び前記第２のグループの両方に含まれる画像処理装置において省電力モードを設定すべきか否かが、前記第１のスケジュール情報と前記第２のスケジュール情報とにおいて異なっている場合に、前記第１のスケジュール情報及び前記第２のスケジュール情報のどちらを優先させるかを判定する判定手段と、前記第１のグループ及び前記第２のグループの両方に含まれる画像処理装置において前記判定手段が優先させると判定したスケジュールに従って省電力モードが設定されるよう前記指示手段を制御する制御手段とを備えることを特徴とする。
【手続補正４】
【補正対象書類名】明細書
【補正対象項目名】００１１
【補正方法】変更
【補正の内容】
【００１１】
また、本発明に係わる情報処理装置は、少なくとも１つの情報処理装置からなる第１のグループ及び少なくとも１つの情報処理装置からなる第２のグループの両方に属する情報処理装置であって、前記第１のグループに含まれる情報処理装置において設定されるべき電力モードのスケジュールを示す第１のスケジュール情報に従って前記第１のグループに含まれる第１の情報処理装置から送信された指示または前記第２のグループに含まれる情報処理装置において設定されるべき電力モードのスケジュールを示す第２のスケジュール情報に従って前記第２のグループに含まれる第２の情報処理装置から送信された指示に従って、複数の電力モードを切り替えて設定するモード設定手段と、前記第１の情報処理装置からの指示の内容と前記第２の情報処理装置からの指示の内容が異なっている場合に、どちらの指示を優先させるかを判定する判定手段と、前記判定手段が優先させると判定した指示に従って、前記電力モードの切り替えを行って設定するよう前記モード設定手段を制御する制御手段とを備えることを特徴とする。
【手続補正５】
【補正対象書類名】明細書
【補正対象項目名】００１２
【補正方法】変更
【補正の内容】
【００１２】
また、本発明に係わる管理方法は、管理装置で実行される、複数の情報処理装置の電力モードを管理する管理方法であって、第１のグループに属する少なくとも１つの情報処理装置及び第２のグループに属する少なくとも１つの情報処理装置を示す情報を管理するグループ管理ステップと、前記第１のグループに含まれる情報処理装置において設定されるべき電力モードのスケジュールを示す第１のスケジュール情報及び前記第２のグループに含まれる情報処理装置において設定されるべき電力モードのスケジュールを示す第２のスケジュール情報を管理するスケジュール管理ステップと、前記第１のスケジュール情報に従って、前記第１のグループに含まれる情報処理装置に対して電力モードの切り替えを指示し、前記第２のスケジュール情報に従って、前記第２のグループに含まれる情報処理装置に対して電力モードの切り替えを指示する指示ステップと、前記第１のグループ及び前記第２のグループの両方に含まれる情報処理装置において設定されるべき電力モードが、前記第１のスケジュール情報と前記第２のスケジュール情報とにおいて異なっている場合に、前記第１のスケジュール情報が示す電力モード及び前記第２のスケジュール情報が示す電力モードのどちらを優先させるかを判定する判定ステップと、前記第１のグループ及び前記第２のグループの両方に含まれる情報処理装置において前記判定ステップで優先させると判定した電力モードが設定されるよう前記指示ステップを制御する制御ステップとを備えることを特徴とする。